(57)【要約】【課題】電力消費を軽減することができる携帯端末装置及び通信システムを提供すること。【解決手段】ＰＨＳ端末１２０Ａは、通信部１０と制御部１１を備える。通信部１０は、タイムスロットごとに割り当てられた所定の容量を有するデータを基地局１１０Ａとの間で送受信する。制御部１１は、有意データではないアイドルデータを間引いて所定の容量よりも少ない容量で構成されたデータを通信部１０に送受信させるとともに、データを送信していない通信部１０の電源をオフにする。【選択図】図３
2012095156.tif 000002
【特許請求の範囲】
【請求項１】
タイムスロットごとに割り当てられた所定の容量を有するデータを基地局との間で送受信する通信部と、
有意データではないアイドルデータを間引いて前記所定の容量よりも少ない容量で構成されたデータを前記通信部に送受信させるとともに、データを送信していない前記通信部の電源をオフにする制御部を備える携帯端末装置。
【請求項２】
前記アイドルデータは、タイムスロットの余剰領域に配される連続した０データである請求項１記載の携帯端末装置。
【請求項３】
前記アイドルデータが間引かれたタイムスロットは、複数のタイムスロットに分割されたデータの最後尾のデータを含んでいる請求項１又は２に記載の携帯端末装置。
【請求項４】
前記制御部は、有意データではないアイドルデータを間引いて前記所定の容量よりも少ない容量で構成された受信データを前記通信部に受信させる請求項１乃至３のいずれか一項に記載の携帯端末装置。
【請求項５】
前記制御部は、有意データではないアイドルデータを間引いて前記所定の容量よりも少ない容量で構成された送信データを前記通信部に送信させる請求項１乃至３のいずれか一項に記載の携帯端末装置。
【請求項６】
前記通信部で受信されたデータを解析する解析部を備え、
前記制御部は、前記解析部により解析された結果に基づいて、通信路の信頼性が高いと判断した場合には、有意データではないアイドルデータを間引いて前記所定の容量よりも少ない容量で構成されたデータを前記通信部に送受信させる請求項１乃至５のいずれか一項に記載の携帯端末装置。
【請求項７】
前記制御部は、前記解析部により解析された結果に基づいて、前記通信路の信頼性が高いと判断した場合には、有意データではないアイドルデータを間引いて前記所定の容量よりも少ない容量で構成されたデータを送信するように通信部に要求を行った後、前記解析部の解析結果から前記通信路の信頼性が低いと判断した場合には、有意データではないアイドルデータを間引かずに前記所定の容量で構成されたデータを送信するように前記基地局に要求を行う請求項６記載の携帯端末装置。
【請求項８】
前記解析部は、前記通信部で受信されたデータに対してエラーチェックを実行し、
前記制御部は、前記解析部によるエラーチェックによって、前記データにエラーが生じていないことを確認した場合に、前記通信路の信頼性が高いと判断し、有意データではないアイドルデータを間引いて送信するように前記基地局に要求を行う請求項６又は７に記載の携帯端末装置。
【請求項９】
前記解析部は、前記通信部で受信されたデータに基づいて、電界強度が所定の閾値を超えているか否かを検出し、
前記制御部は、前記解析部により電界強度が所定の閾値を超えている場合に、前記通信路の信頼性が高いと判断し、有意データではないアイドルデータを間引いて送信するように前記基地局に要求を行う請求項６又は７に記載の携帯端末装置。
【請求項１０】
前記解析部は、前記通信部で受信されたデータに対してエラーチェックを実行し、かつ、前記通信部で受信されたデータに基づいて、電界強度が所定の閾値を超えているか否かを検出し、
前記制御部は、前記解析部によるエラーチェックによって、前記データにエラーが生じていないことを確認し、かつ、前記解析部により電界強度が所定の閾値を超えている場合に、前記通信路の信頼性が高いと判断し、有意データではないアイドルデータを間引いて送信するように前記基地局に要求を行う請求項６又は７に記載の携帯端末装置。
【請求項１１】
時分割多重方式にしたがったタイムスロットごとに割り当てられた所定の容量を有するデータを生成する生成部と、
前記生成部で生成されたデータを前記基地局に送信する送信部を備え、
前記制御部は、有意データではないアイドルデータを間引いて送信するように前記基地局に要求を行った場合には、有意データではないアイドルデータを間引いて前記所定の容量よりも少ない容量で構成されたデータを生成するように前記生成部を制御する請求項６乃至１０のいずれか一項に記載の携帯端末装置。
【請求項１２】
携帯端末装置と基地局との間において時分割多重方式により通信を行う通信システムにおいて、
前記携帯端末装置は、前記時分割多重方式にしたがったタイムスロットごとに割り当てられた所定の容量を有するデータを基地局との間で通信路を介して送受信する通信部を備え、
前記基地局は、有意データではないアイドルデータを間引いて前記所定の容量よりも少ない容量で構成されたデータを前記携帯端末装置との間で送受信する第２の通信部を備える通信システム。
【発明の詳細な説明】
【技術分野】
【０００１】
本発明は、データの送受信を行う携帯端末装置及び通信システムに関する。
【背景技術】
【０００２】
携帯端末装置は、基地局との間において、例えば、ＴＤＭＡ（Ｔｉｍｅ  Ｄｉｖｉｓｉｏｎ  Ｍｕｌｔｉｐｌｅ  Ａｃｃｅｓｓ）−ＴＤＤ（Ｔｉｍｅ  Ｄｉｖｉｓｉｏｎ  Ｄｕｐｌｅｘ）方式に基づいた無線通信が行われる（例えば、特許文献１を参照。）。
【０００３】
ここで、ＡＲＩＢ  ＳＴＤ−２８においてフレームは、ダウンリンクと、アップリンクを時間軸方向にそれぞれ４分割したタイムスロット（ＴＤＭＡスロット）で構成される。また、１タイムスロットの時間長は、６２５μｓｅｃであり、８タイムスロットの時間長は、５ｍｓｅｃである。
【０００４】
また、ＴＤＭＡ−ＴＤＤ方式では、１タイムスロットに対応するデータを生成する場合には、有意となるデータが所定の容量未満の場合には、アイドルデータ（「１」又は「０」の連続するデータ）を付加することにより、所定の容量にしている。
【先行技術文献】
【特許文献】
【０００５】
【特許文献１】特開平６−１５２５１４号公報
【発明の概要】
【発明が解決しようとする課題】
【０００６】
しかし、データを送信する側においては、有意ではないアイドルデータを付加して、１タイムスロットに対応するデータを生成し、送信するので、アイドルデータを付加する分だけ処理負担が発生し、電力消費の軽減を図ることが困難になっている。
【０００７】
また、データを受信する側においても、有意ではないアイドルデータが付加されているデータを受信して処理するので、アイドルデータが付加されている分だけ処理負担が発生し、電力消費の軽減を図ることが困難になっている。
【０００８】
本発明は、電力消費を軽減することができる携帯端末装置及び通信システムを提供することを一つの目的とする。
【課題を解決するための手段】
【０００９】
本発明に係る携帯端末装置は、上記課題を解決するために、タイムスロットごとに割り当てられた所定の容量を有するデータを基地局との間で送受信する通信部と、有意データではないアイドルデータを間引いて前記所定の容量よりも少ない容量で構成されたデータを前記通信部に送受信させるとともに、データを送信していない前記通信部の電源をオフにする制御部を備える構成である。
【００１０】
また、上記携帯端末装置では、前記アイドルデータは、タイムスロットの余剰領域に配される連続した０データであるような構成であっても良い。
【００１１】
また、上記携帯端末装置では、前記アイドルデータが間引かれたタイムスロットは、複数のタイムスロットに分割されたデータの最後尾のデータを含んでいる構成であっても良い。
【００１２】
また、上記携帯端末装置では、前記制御部は、有意データではないアイドルデータを間引いて前記所定の容量よりも少ない容量で構成された受信データを前記通信部に受信させる構成であっても良い。
【００１３】
また、上記携帯端末装置では、前記制御部は、有意データではないアイドルデータを間引いて前記所定の容量よりも少ない容量で構成された送信データを前記通信部に送信させる構成であっても良い。
【００１４】
また、上記携帯端末装置では、前記通信部で受信されたデータを解析する解析部を備え、前記制御部は、前記解析部により解析された結果に基づいて、通信路の信頼性が高いと判断した場合には、有意データではないアイドルデータを間引いて前記所定の容量よりも少ない容量で構成されたデータを前記通信部に送受信させる構成であっても良い。
【００１５】
また、上記携帯端末装置では、前記制御部は、前記解析部により解析された結果に基づいて、前記通信路の信頼性が高いと判断した場合には、有意データではないアイドルデータを間引いて前記所定の容量よりも少ない容量で構成されたデータを送信するように通信部に要求を行った後、前記解析部の解析結果から前記通信路の信頼性が低いと判断した場合には、有意データではないアイドルデータを間引かずに前記所定の容量で構成されたデータを送信するように前記基地局に要求を行う構成であっても良い。
【００１６】
また、上記携帯端末装置では、前記解析部は、前記通信部で受信されたデータに対してエラーチェックを実行し、前記制御部は、前記解析部によるエラーチェックによって、前記データにエラーが生じていないことを確認した場合に、前記通信路の信頼性が高いと判断し、有意データではないアイドルデータを間引いて送信するように前記基地局に要求を行う構成であっても良い。
【００１７】
また、上記携帯端末装置では、前記解析部は、前記通信部で受信されたデータに基づいて、電界強度が所定の閾値を超えているか否かを検出し、前記制御部は、前記解析部により電界強度が所定の閾値を超えている場合に、前記通信路の信頼性が高いと判断し、有意データではないアイドルデータを間引いて送信するように前記基地局に要求を行う構成であっても良い。
【００１８】
また、上記携帯端末装置では、前記解析部は、前記通信部で受信されたデータに対してエラーチェックを実行し、かつ、前記通信部で受信されたデータに基づいて、電界強度が所定の閾値を超えているか否かを検出し、前記制御部は、前記解析部によるエラーチェックによって、前記データにエラーが生じていないことを確認し、かつ、前記解析部により電界強度が所定の閾値を超えている場合に、前記通信路の信頼性が高いと判断し、有意データではないアイドルデータを間引いて送信するように前記基地局に要求を行う構成であっても良い。
【００１９】
また、上記携帯端末装置では、時分割多重方式にしたがったタイムスロットごとに割り当てられた所定の容量を有するデータを生成する生成部と、前記生成部で生成されたデータを前記基地局に送信する送信部を備え、前記制御部は、有意データではないアイドルデータを間引いて送信するように前記基地局に要求を行った場合には、有意データではないアイドルデータを間引いて前記所定の容量よりも少ない容量で構成されたデータを生成するように前記生成部を制御する構成であっても良い。
【００２０】
また、本発明に係る通信システムは、上記課題を解決するために、携帯端末装置と基地局との間において時分割多重方式により通信を行う通信システムにおいて、前記携帯端末装置は、前記時分割多重方式にしたがったタイムスロットごとに割り当てられた所定の容量を有するデータを基地局との間で通信路を介して送受信する通信部を備え、前記基地局は、有意データではないアイドルデータを間引いて前記所定の容量よりも少ない容量で構成されたデータを前記携帯端末装置との間で送受信する第２の通信部を備える構成である。
【発明の効果】
【００２１】
本発明によれば、処理負担及び電力消費を軽減することができる。
【図面の簡単な説明】
【００２２】
【図１】無線通信システムの構成を示すブロック図である。
【図２】基地局とＰＨＳ端末間における送受信スロットタイミングの説明に供する図である。
【図３】ＰＨＳ端末の機能的な構成を示す機能ブロック図である。
【図４】送信回路（ＴＸ）及び受信回路（ＲＸ）がＯＮ状態になる期間についての説明に供する図である。
【図５】Ｉフィールドのフォーマットを模式的に示す図である。
【図６】ＰＨＳ端末によるデータ通信を行う際の動作についての説明に供するフローチャートである。
【図７】ＰＨＳ端末と基地局との間において行われるデータの送信動作についての説明に供する図である。
【発明を実施するための形態】
【００２３】
以下、本発明の好適な実施形態の一例について説明する。なお、本実施形態では、携帯端末装置の具体例としてＰＨＳ（Ｐｅｒｓｏｎａｌ  Ｈａｎｄｙ  ｐｈｏｎｅ  Ｓｙｓｔｅｍ）端末を想定して説明するが、これに限られず、例えば、ＰＨＳ端末とは使用周波数帯や変調方式等が異なる携帯電話機や、ＰＤＡ（Ｐｅｒｓｏｎａｌ  Ｄｉｇｉｔａｌ  Ａｓｓｉｓｔａｎｔ）等の様々な装置に適用可能である。
【００２４】
無線通信システム１００の概略的な接続関係を図１に示す。無線通信システム１００は、複数の基地局（図１に示す例では、基地局１１０Ａ、１１０Ｂのみ示す）と、複数のＰＨＳ端末（図１に示す例では、ＰＨＳ端末１２０Ａ、１２０Ｂのみ示す）と、光ファイバー又はＩＳＤＮ回線で構成される通信網１３０と、中継サーバ１４０とを含んで構成される。
【００２５】
無線通信システム１００において、ユーザが自身のＰＨＳ端末１２０Ａから他のＰＨＳ端末１２０Ｂへの通信回線の接続を行う場合、最初にＰＨＳ端末１２０Ａは、オープンサーチを行い、通信可能範囲内の最も通信品質の良い基地局１１０Ａに無線接続要求を行う。
【００２６】
無線接続要求を受信した基地局１１０Ａは、通信網１３０を介して中継サーバ１４０に通信相手との通信接続を要求する。中継サーバ１４０は、ＰＨＳ端末１２０Ｂの位置登録情報を参照して他のＰＨＳ端末１２０Ｂの無線通信範囲内にある基地局（図１に示す例では、基地局１１０Ｂ）を選択して基地局１１０Ａと基地局１１０Ｂとの通信経路を確保し、ＰＨＳ端末１２０ＡとＰＨＳ端末１２０Ｂの通信を確立する。
【００２７】
このような無線通信システム１００においては、各機器間における通信速度及び通信品質を向上させるため様々な技術が採用されている。本実施形態では、例えば、基地局１１０Ａ、１１０ＢとＰＨＳ端末１２０Ａ、１２０Ｂとの間ではＴＤＭＡ（Ｔｉｍｅ  Ｄｉｖｉｓｉｏｎ  Ｍｕｌｔｉｐｌｅ  Ａｃｃｅｓｓ）−ＴＤＤ（Ｔｉｍｅ  Ｄｉｖｉｓｉｏｎ  Ｄｕｐｌｅｘ）方式に基づいた無線通信が実行される。
【００２８】
また、基地局１１０Ａは、報知チャネル（ＢＣＣＨ：Ｂｒｏａｄ  Ｃａｓｔ  Ｃｏｎｔｒｏｌ  Ｃｈａｎｎｅｌ）、呼出チャネル（ＰＣＨ：Ｐａｇｉｎｇ  Ｃｈａｎｎｅｌ）、及びリンクチャネル割当信号（下りＳＣＣＨ：Ｓｉｇｎａｌｉｎｇ  Ｃｏｎｔｒｏｌ  Ｃｈａｎｎｅｌ）を含む制御チャネル（ＣＣＨ：Ｃｏｎｔｒｏｌ  Ｃｈａｎｎｅｌ）を所定のパターンのタイミングで送信する。
【００２９】
ＢＣＣＨは、位置登録のための情報、チャネル構造に関する情報、システム情報等を含む信号であり、基地局１１０ＡからＰＨＳ端末１２０Ａにブロードキャストで送信される。ＰＣＨは、着呼要求が有った場合に一斉呼出エリア内にあるＰＨＳ端末１２０Ａに着呼を通知する信号である。下りＳＣＣＨは、呼接続に必要な情報を含む信号である。
【００３０】
また、図２に示すように、本実施形態の通信方式であるＴＤＭＡ−ＴＤＤ方式では、基地局１１０ＡからＰＨＳ端末１２０Ａへ信号が送信されるフレーム（時間）と、ＰＨＳ端末１２０Ａから基地局１１０Ａへ信号が送信されるフレーム（時間）とを異ならせている。ここでは、基地局１１０ＡからＰＨＳ端末１２０Ａへ信号が送信されるフレームをダウンリンク（下り）とし、ＰＨＳ端末１２０Ａから基地局１１０Ａへ信号が送信されるフレームをアップリンク（上り）と称する。
【００３１】
なお、ＡＲＩＢ  ＳＴＤ−２８においてフレームは、ダウンリンクと、アップリンクを時間軸方向にそれぞれ４分割したタイムスロット（ＴＤＭＡスロット）で構成される。また、１タイムスロットの時間長は、６２５μｓｅｃであり、８タイムスロットの時間長は、５ｍｓｅｃである。また、一般的なＰＨＳ端末は、１．２ｓｅｃに１回のタイミングでＣＣＨの間欠受信を行い、着呼の有無を確認している。
【００３２】
このように構成されるＰＨＳ端末１２０Ａは、データを送受信する際に、有意でないアイドルデータを付加することなく有意データのみで１タイムスロットに対応するデータを送受信して処理することにより、処理負担及び電力消費を軽減する機能を有している。以下に、無線通信システム１００における基地局１１０Ａと、ＰＨＳ端末１２０Ａの具体的な構成と動作について説明する。なお、以下の実施形態において、基地局１１０Ａ、１１０Ｂは同様の構成を有するため、一例として基地局１１０Ａの構成を説明し、ＰＨＳ端末１２０Ａ、１２０Ｂは同様の構成を有するため、一例としてＰＨＳ端末１２０Ａの構成を説明する。
【００３３】
ＰＨＳ端末１２０Ａは、図３に示すように、通信部１０と制御部１１を備える。
通信部１０は、基地局１１０Ａから送信されてきたタイムスロットごとに割り当てられた所定の容量を有するデータを送受信する。制御部１１は、有意データではないアイドルデータを間引いて所定の容量よりも少ない容量で構成されたデータを通信部１０に送受信させる。
【００３４】
また、制御部１１は、有意データではないアイドルデータを間引いて所定の容量よりも少ない容量で構成された受信データを通信部１０に受信させる構成であっても良い。
【００３５】
また、制御部１１は、有意データではないアイドルデータを間引いて所定の容量よりも少ない容量で構成された送信データを通信部１０に送信させる構成であっても良い。
【００３６】
また、制御部１１は、有意データではないアイドルデータを間引いて所定の容量よりも少ない容量で構成された受信データを通信部１０に受信させ、かつ、有意データではないアイドルデータを間引いて所定の容量よりも少ない容量で構成された送信データを通信部１０に送信させる構成であっても良い。
【００３７】
ここで、ＰＨＳ端末１２０Ａによる１タイムスロットの模式的なデータ構成について説明する。ＰＨＳ端末１２０Ａは、Ｉフィールド（Ｉフィールドは、送受信されるデータが格納されるフィールドのことである）が全て有意データの場合には、１タイムスロットのレングス長を６２５μｓｅｃのデータにして通信を行う。したがって、ＰＨＳ端末１２０Ａでは、通信部１０の送信回路（ＴＸ）又は受信回路（ＲＸ）は、所定期間（６２５μｓｅｃ）ＯＮ状態になる（図４（ａ）を参照。）。
【００３８】
なお、図４中の「Ｒ」は、ランプアップを示しており、「ＳＳ」は、スタートシンボルを示しており、「ＰＲ」は、プリアンブルを示しており、「ＵＷ」は、ユニークワードを示しており、「ＣＩ」は、チャネル識別子を示しており、「ＣＲＣ」は、ＣＲＣ演算結果を示している。
【００３９】
また、ＰＨＳ端末１２０Ａは、Ｉフィールドが全て有意データで構成されない場合には、空き領域にアイドルデータを挿入せずに１タイムスロットを構成し、通信を行う。すなわち、ＰＨＳ端末１２０Ａは、Ｉフィールドが全て有意データで構成されない場合には、１タイムスロットのレングス長が６２５μｓｅｃよりも短いデータにより通信を行う。したがって、ＰＨＳ端末１２０Ａでは、通信部１０の送信回路（ＴＸ）又は受信回路（ＲＸ）は、所定期間（６２５μｓｅｃ）よりも短期間のみＯＮ状態になる（図４（ｂ）を参照。）
【００４０】
なお、従来の端末装置では、Ｉフィールドが全て有意データで構成されない場合（例えば、大きなデータを複数のスロットに分割して送信した場合における最後のスロットのデータ等）には、余った後方の空き領域（余剰領域）にアイドルデータ（「０」データ）を挿入して１タイムスロットを構成していた。よって、従来の端末装置では、Ｉフィールドが全て有意データで構成されていてもいなくても、送信回路（ＴＸ）又は受信回路（ＲＸ）は、所定期間（６２５μｓｅｃ）ＯＮ状態になっていた（図４（ｃ）を参照）。
【００４１】
このようにして、本実施例に係るＰＨＳ端末１２０Ａは、データを送受信する際に、有意でないアイドルデータを付加することなく有意データのみで１タイムスロットに対応するデータを送受信して処理するので、アイドルデータを処理しない分（図４（ｂ）中のｔ１）だけその処理負担及び電力消費を軽減することができる。
【００４２】
また、Ｉフィールドに有意データが何ビット（何レングス）含まれているかを判断する方法について説明する。ＰＨＳ端末１２０Ａは、通信においてはレイヤ構造を採用している。また、Ｉフィールド上にはレイヤ２（Ｌ２：データリンク層）の情報とレイヤ３（Ｌ３：ネットワーク層）の情報が含まれている（図５には、Ｉフィールドの模式的なフォーマットを示す。）。ＰＨＳ端末１２０Ａは、Ｉフィールドに含まれているＬ２データに示されている情報（Ｌ３レングス）を読み取ることによって、有意データ（Ｌ３データ）のビット数（レングス長）を確認する。また、ＰＨＳ端末１２０Ａは、確認した有意データのビット数（レングス長）に基づいて、送信回路（ＴＸ）又は受信回路（ＲＸ）をＯＮ状態にする時間を計算する。
【００４３】
次に、送信回路（ＴＸ）と受信回路（ＲＸ）の動作について説明する。
送信回路（ＴＸ）は、有意なビットのみを送信し、アイドルデータの送信は行わないが、値は０としてＣＲＣ演算を行い、その演算結果を付加して相手局に送信する。送信回路（ＴＸ）は、ＣＲＣ演算結果を送信した時点で回路をオフにする。
【００４４】
受信回路（ＲＸ）は、データの受信を開始し、Ｌ２データ（Ｌ３レングス）を確認する。そして、受信回路（ＲＸ）は、レングス分のデータ、及びＣＲＣ演算結果を受信した時点で回路をオフにする。また、受信回路（ＲＸ）は、「Ｉフィールドの最大長−有意データのレングス長」分のビットを「０」とみなしてＣＲＣ演算を行う。
【００４５】
このようにして、ＰＨＳ端末１２０Ａは、データを送受信する際に、有意でないアイドルデータを付加することなく有意データのみで１タイムスロットに対応するデータを送受信して処理するので、アイドルデータを処理しない分だけその処理負担及び電力消費を軽減することができる。
【００４６】
また、ＰＨＳ端末１２０Ａは、通信部１０で受信されたデータを解析する解析部１２を備える。制御部１１は、解析部１２により解析された結果に基づいて、通信路の信頼性が高いと判断した場合には、有意データではないアイドルデータを間引いて所定の容量よりも少ない容量で構成されたデータを通信部１０に送受信させる構成であっても良い。
【００４７】
ここで、ＣＲＣ演算結果の信頼性は、１タイムスロットのレングス長が長いほど向上する。よって、１タイムスロットの長さを短縮してしまうと、ＣＲＣ演算結果の信頼性を損なう場合がある。
【００４８】
そこで、ＰＨＳ端末１２０Ａは、通信路の信頼性が高いと判断された場合、すなわち、データの送信時のエラーが発生し難い場合に、有意データではないアイドルデータを間引いて所定の容量よりも少ない容量で構成されたデータを通信部１０に送受信させる。
【００４９】
したがって、ＰＨＳ端末１２０Ａは、データの転送時のエラーが発生し難い状況下において、データを送受信する際に、有意でないアイドルデータを付加することなく有意データのみで１タイムスロットに対応するデータを送受信して処理するので、通信するデータにエラーを伴うことなく、アイドルデータを処理しない分だけその処理負担及び電力消費を軽減することができる。換言すれば、エラーを起こす可能性の低い信頼性の高い通信路においては、ＣＲＣ演算結果を用いる必要性が薄いため、このような構成にすることが可能になる訳である。
【００５０】
また、制御部１１は、解析部１２により解析された結果に基づいて、通信路の信頼性が高いと判断した場合には、有意データではないアイドルデータを間引いて所定の容量よりも少ない容量で構成されたデータを送信するように通信部１０に要求を行った後、解析部１２の解析結果から通信路の信頼性が低いと判断した場合には、有意データではないアイドルデータを間引かずに所定の容量で構成されたデータを送信するように基地局１１０Ａに要求を行う構成であっても良い。
【００５１】
具体的には、ＰＨＳ端末１２０Ａは、データの転送時のエラーが発生し難い状況下においては、有意データではないアイドルデータを間引いて所定の容量よりも少ない容量で構成されたデータを送信するように通信部１０に要求を行い、データの転送時にエラーが発生する可能性のある状況下に移行した場合には、有意データではないアイドルデータを間引かずに所定の容量（データ長が６２５μｓｅｃ）で構成されたデータを送信するように基地局１１０Ａに要求を行う。
【００５２】
よって、ＰＨＳ端末１２０Ａは、解析部１２の解析結果から通信路の信頼性が低いと判断した場合、すなわち、データの転送時にエラーが発生する可能性のある状況下に移行した場合には、ＣＲＣ演算結果の信頼性を高くして、送信されてきたデータに対してエラーチェックを行うことができる。
【００５３】
また、解析部１２は、通信部１０で受信されたデータに対してエラーチェックを実行し、制御部１１は、解析部１２によるエラーチェックによって、データにエラーが生じていないことを確認した場合に、通信路の信頼性が高いと判断し、有意データではないアイドルデータを間引いて送信するように基地局１１０Ａに要求を行う構成であっても良い。
【００５４】
具体的には、ＰＨＳ端末１２０Ａは、解析部１２によるＣＲＣによるエラーチェックの結果から通信路の信頼性が低いと判断した場合、すなわち、データの転送時にエラーが発生する可能性のある状況下に移行した場合には、有意データではないアイドルデータを間引かずに所定の容量（データ長が６２５μｓｅｃ）で構成されたデータを送信するように基地局１１０Ａに要求を行い、一方、解析部１２のＣＲＣによるエラーチェックの結果から通信路の信頼性が高いと判断した場合、すなわち、データの転送時にエラーが発生する可能性がない状況下に移行した場合には、有意データではないアイドルデータを間引いて送信するように基地局１１０Ａに要求を行う。
【００５５】
よって、ＰＨＳ端末１２０Ａは、データの転送時のエラーが発生し難い状況下において、データを送受信する際に、有意でないアイドルデータを付加することなく有意データのみで１タイムスロットに対応するデータを送信するように基地局１１０Ａに要求を行うので、受信するデータにエラーを伴うことなく、アイドルデータを処理しない分だけその処理負担及び電力消費を軽減することができる。
【００５６】
また、解析部１２は、通信部１０で受信されたデータに基づいて、電界強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）が所定の閾値を超えているか否かを検出し、制御部１１は、解析部１２により電界強度が所定の閾値を超えている場合に、通信路の信頼性が高いと判断し、有意データではないアイドルデータを間引いて送信するように基地局１１０Ａに要求を行う構成であっても良い。
【００５７】
具体的には、ＰＨＳ端末１２０Ａは、解析部１２により検出した電界強度が所定の閾値を超えていない場合、すなわち、データの転送時にエラーが発生する可能性のある状況下に移行した場合には、有意データではないアイドルデータを間引かずに所定の容量（データ長が６２５μｓｅｃ）で構成されたデータを送信するように基地局１１０Ａに要求を行い、一方、解析部１２により検出した電界強度が所定の閾値を超えている場合、すなわち、データの転送時にエラーが発生する可能性がない状況下に移行した場合には、有意データではないアイドルデータを間引いて送信するように基地局１１０Ａに要求を行う。
【００５８】
よって、ＰＨＳ端末１２０Ａは、データの転送時のエラーが発生し難い状況下において、データを送受信する際に、有意でないアイドルデータを付加することなく有意データのみで１タイムスロットに対応するデータを送信するように基地局１１０Ａに要求を行うので、受信するデータにエラーを伴うことなく、アイドルデータを処理しない分だけその処理負担及び電力消費を軽減することができる。
【００５９】
また、解析部１２は、通信部１０で受信されたデータに対してエラーチェックを実行し、かつ、通信部１０で受信されたデータに基づいて、電界強度が所定の閾値を超えているか否かを検出し、制御部１１は、解析部１２によるエラーチェックによって、データにエラーが生じていないことを確認し、かつ、解析部１２により電界強度が所定の閾値を超えている場合に、通信路の信頼性が高いと判断し、有意データではないアイドルデータを間引いて送信するように基地局１１０Ａに要求を行う構成であっても良い。
【００６０】
具体的には、ＰＨＳ端末１２０Ａは、解析部１２によるＣＲＣによるエラーチェックの結果から通信路の信頼性が低いと判断した場合、又は解析部１２により検出した電界強度が所定の閾値を超えていない場合のいずれか一方の場合、すなわち、データの転送時にエラーが発生する可能性のある状況下に移行した場合には、有意データではないアイドルデータを間引かずに所定の容量（データ長が６２５μｓｅｃ）で構成されたデータを送信するように基地局１１０Ａに要求を行う。
【００６１】
一方、ＰＨＳ端末１２０Ａは、解析部１２によるＣＲＣによるエラーチェックの結果から通信路の信頼性が高いと判断した場合であり、かつ解析部１２により検出した電界強度が所定の閾値を超えている場合には、データの転送時にエラーが発生する可能性がない状況下に移行したと判断し、有意データではないアイドルデータを間引いて送信するように基地局１１０Ａに要求を行う。
【００６２】
よって、ＰＨＳ端末１２０Ａは、確実にデータの転送時のエラーが発生し難い状況下において、データを送受信する際に、有意でないアイドルデータを付加することなく有意データのみで１タイムスロットに対応するデータを送信するように基地局１１０Ａに要求を行うので、受信するデータにエラーを伴うことなく、アイドルデータを処理しない分だけその処理負担及び電力消費を軽減することができる。処理負担及び電力消費を軽減することができる。
【００６３】
また、ＰＨＳ端末１２０Ａは、時分割多重方式にしたがったタイムスロットごとに割り当てられた所定の容量を有するデータを生成する生成部１３と、生成部１３で生成されたデータを基地局１１０Ａに送信する送信部１４を備える構成であっても良い。このような構成の場合には、制御部１１は、有意データではないアイドルデータを間引いて送信するように基地局１１０Ａに要求を行った場合には、自らも有意データではないアイドルデータを間引いて所定の容量よりも少ない容量で構成されたデータを生成するように生成部１３を制御する。
【００６４】
このようにして、ＰＨＳ端末１２０Ａは、有意データではないアイドルデータを間引いて送信するように基地局１１０Ａに要求を行った場合には、自らも有意データではないアイドルデータを間引いて所定の容量よりも少ない容量で構成されたデータを生成するように生成部１３を制御するので、データの送信時及び受信時において、アイドルデータを処理しない分だけその処理負担及び電力消費を軽減することができる。
【００６５】
つぎに、ＰＨＳ端末１２０Ａと基地局１１０Ａとの間において時分割多重方式により通信を行う無線通信システム１００の構成と動作について図３、図６及び図７を用いて説明する。
【００６６】
ＰＨＳ端末１２０Ａは、第１の受信部１０ａと、第１の解析部（解析部１２）と、第１の制御部（制御部１１）と、第１の生成部（生成部１３）と、第１の送信部１０ｂを備える。
【００６７】
第１の受信部１０ａは、基地局１１０Ａから送信されてきた時分割多重方式にしたがったタイムスロットごとに割り当てられた所定の容量を有するデータを通信路を介して受信する。
【００６８】
第１の解析部（解析部１２）は、第１の受信部１０ａで受信されたデータを解析する。第１の制御部（制御部１１）は、第１の解析部（解析部１２）により解析された結果に基づいて、通信路の信頼性が高いと判断した場合には、有意データではないアイドルデータを間引いて所定の容量よりも少ない容量で構成されたデータを送信する第１の要求を基地局１１０Ａに行う。
【００６９】
第１の生成部（生成部１３）は、時分割多重方式にしたがったタイムスロットごとに割り当てられた所定の容量を有するデータを生成する。第１の送信部１０ｂは、第１の生成部（生成部１３）で生成されたデータを基地局１１０Ａに通信路を介して送信する。なお、第１の受信部１０ａと第１の送信部１０ｂは、上述した通信部１０を構成している。
【００７０】
基地局１１０Ａは、第２の生成部２０と、第２の送信部２１と、第２の受信部２２と、第２の解析部２３と、第２の制御部２４を備える。
【００７１】
第２の生成部２０は、時分割多重方式にしたがったタイムスロットごとに割り当てる所定の容量を有するデータを生成する。第２の送信部２１は、第２の生成部２０で生成されたデータをＰＨＳ端末１２０Ａに通信路を介して送信する。第２の受信部２２は、ＰＨＳ端末１２０Ａから送信されてきた時分割多重方式にしたがったタイムスロットごとに割り当てられた所定の容量を有するデータを通信路を介して受信する。
【００７２】
第２の解析部２３は、第２の受信部２２で受信されたデータを解析する。第２の制御部２４は、第２の解析部２３により解析された結果に基づいて、通信路の信頼性が高いと判断した場合には、有意データではないアイドルデータを間引いて所定の容量よりも少ない容量で構成されたデータを送信する第２の要求をＰＨＳ端末１２０Ａに行う。
【００７３】
第１の制御部（制御部１１）は、第１の要求を基地局１１０Ａに行い、かつ、第２の要求を基地局１１０Ａから受け付けた場合には、有意データではないアイドルデータを間引いて所定の容量よりも少ない容量で構成されたデータを生成するように第１の生成部（生成部１３）を制御する。
【００７４】
第２の制御部２４は、第２の要求をＰＨＳ端末１２０Ａに行い、かつ、第１の要求をＰＨＳ端末１２０Ａから受け付けた場合には、有意データではないアイドルデータを間引いて所定の容量よりも少ない容量で構成されたデータを生成するように第２の生成部２０を制御する。
【００７５】
このようにして、ＰＨＳ端末１２０Ａ及び基地局１１０Ａは、データを送受信する際に、有意でないアイドルデータを付加することなく有意データのみで１タイムスロットに対応するデータを送受信して処理するので、アイドルデータを処理しない分だけその処理負担及び電力消費を軽減することができる。
【００７６】
つぎに、ＰＨＳ端末１２０Ａによるデータ通信を行う際の動作について、図６に示すフローチャートを参照しながら説明する。また、以下では、ＰＨＳ端末１２０Ａは、ＣＲＣ演算によるエラー検出の精度を高く維持するために、十分な電界強度がある場合にのみ、有意でないアイドルデータを付加することなく有意データのみで１タイムスロットに対応するデータ通信を行うものとする。
【００７７】
ステップＳＴ１において、ＰＨＳ端末１２０Ａは、低消費電力化動作モードが起動中であるか否かを判断する。低消費電力化動作モードとは、有意でないアイドルデータを付加することなく有意なビット区間のみで通信を行うモードのことである。低消費電力化モードが起動中であると判断した場合（Ｙｅｓ）には、ステップＳＴ４に進み、低消費電力化モードが起動中ではない判断した場合（Ｎｏ）には、ステップＳＴ２に進む。
【００７８】
ステップＳＴ２において、ＰＨＳ端末１２０Ａは、受信レベルが所定の閾値以上であるかどうかを判断する。受信レベルが所定の閾値以上である場合（Ｙｅｓ）、すなわち、電界強度が所定の閾値以上である場合には、ステップＳＴ３に進む。また、受信レベルが所定の閾値以上ではない場合（Ｎｏ）、すなわち、電界強度が所定の閾値よりも低い場合には、処理を終了する。この場合には、ＰＨＳ端末１２０Ａと基地局１１０Ａとの間では、低消費電力化動作モードに入らないので、有意データではないアイドルデータを間引かずに所定の容量（データ長が６２５μｓｅｃ）で構成されたデータにより通信を行う。
【００７９】
ステップＳＴ３において、ＰＨＳ端末１２０Ａは、相手局（基地局１１０Ａ）に対して低消費電力化動作モードによる動作を開始するように要求を行う。この場合には、基地局１１０Ａは、ＰＨＳ端末１２０Ａの要求に応じて、有意でないアイドルデータを付加することなく有意データのみで１タイムスロットに対応するデータを生成して、ＰＨＳ端末１２０Ａに送信する。
【００８０】
ステップＳＴ４において、ＰＨＳ端末１２０Ａは、受信レベルが所定の閾値以下であるかどうかを判断する。受信レベルが所定の閾値以下である場合（Ｙｅｓ）、すなわち、電界強度が所定の閾値以下である場合には、ステップＳＴ５に進む。また、受信レベルが所定の閾値以下ではない場合（Ｎｏ）、すなわち、電界強度が所定の閾値よりも大きい場合には、処理を終了する。この場合には、ＰＨＳ端末１２０Ａは、低消費電力化動作モードを継続する。
【００８１】
ステップＳＴ５において、ＰＨＳ端末１２０Ａは、相手局（基地局１１０Ａ）に対して低消費電力化動作モードによる動作を停止するように要求を行う。この場合には、基地局１１０Ａは、ＰＨＳ端末１２０Ａの要求に応じて、低消費電力化動作モードを終了して、有意データではないアイドルデータを間引かずに所定の容量（データ長が６２５μｓｅｃ）で構成されたデータにより通信を行う。
【００８２】
なお、上述では、ＰＨＳ端末１２０Ａを主体として説明したが、主体は、基地局１１０Ａであっても良い。
【００８３】
つぎに、ＰＨＳ端末１２０Ａと基地局１１０Ａとの間において行われるデータの送信動作について、図７に示すシーケンスチャートを参照しながら説明する。
【００８４】
ステップＳＴ１１において、ＰＨＳ端末１２０Ａは、低消費電力化動作モードをオンにするかどうかの判断を行う。具体的には、ＰＨＳ端末１２０Ａは、受信レベルに基づく電界強度や、エラーチェックを実行してその結果に基づいて、低消費電力化動作モードをオンにするかどうかの判断を行う。
【００８５】
ステップＳＴ１２において、ＰＨＳ端末１２０Ａは、ステップＳＴ１１により低消費電力化動作モードをオンにすると判断した場合には、基地局１１０Ａに低消費電力化動作モードをオンにするように第１の要求を行う。
【００８６】
ステップＳＴ１３において、基地局１１０Ａは、ＰＨＳ端末１２０Ａの要求に応じて、低消費電力化動作モードをオンにする。
【００８７】
ステップＳＴ１４において、基地局１１０Ａは、送信するデータが最大長（データ長が６２５μｓｅｃ）でない場合には、有意データの後にＣＲＣ演算結果を付加してデータを生成し、生成したレングス分のデータを送信した時点で、送信回路（ＴＸ）をオフにする。すなわち、基地局１１０Ａは、最大長よりも短い時間（６２５μｓｅｃ未満）のバーストでデータを送信（第２の送信）を行う。このようにして、基地局１１０Ａは、アイドルデータを処理しない分だけその処理負担及び電力消費を軽減することができる。
【００８８】
ステップＳＴ１５において、ＰＨＳ端末１２０Ａは、送信されてきたレングス分を受信した時点で受信回路（ＲＸ）をオフにする。
【００８９】
ステップＳＴ１６において、ＰＨＳ端末１２０Ａは、ステップＳＴ１５から所定期間経過後に、低消費電力化動作モードのオン状態を維持するかどうかの判定を行う。具体的には、ＰＨＳ端末１２０Ａは、受信レベルに基づく電界強度に基づいて、低消費電力化動作モードのオン状態を維持するかどうかの判定を行う。なお、ＰＨＳ端末１２０Ａは、低消費電力化動作モードのオン状態を維持するかどうかの判定を行う際に、基地局１１０Ａに対して、最大長でデータを送信するように要求し、受信した最大長のデータに対してエラーチェックを実行し、その結果に基づいて、低消費電力化動作モードのオン状態を維持するかどうかの判定を行っても良い。
【００９０】
ステップＳＴ１７において、ＰＨＳ端末１２０Ａは、低消費電力化動作モードのオン状態を維持できないとステップＳＴ１６にて判定した場合には、低消費電力化動作モードをオフ（停止）するように基地局１１０Ａに要求を行う。
【００９１】
ステップＳＴ１８において、基地局１１０Ａは、ＰＨＳ端末１２０Ａの要求に応じて、低消費電力化動作モードをオフにする。
【００９２】
ステップＳＴ１９において、基地局１１０Ａは、送信するデータが最大長（データ長が６２５μｓｅｃ）になるように、有意データの後にアイドルデータ（「０」等）を設定し、最後尾にＣＲＣ演算結果を付加することによってデータを生成し、生成したデータを送信し、送信回路（ＴＸ）をオフにする。すなわち、基地局１１０Ａは、最大長の時間（６２５μｓｅｃ）のバーストでデータを送信する。
【００９３】
ステップＳＴ２０において、ＰＨＳ端末１２０Ａは、送信されてきたレングス分を受信した時点で受信回路（ＲＸ）をオフにする。
【００９４】
なお、上述では、低消費電力化動作モードのオン又はオフの要求をＰＨＳ端末１２０Ａから基地局１１０Ａへ行うこととして説明をしたがこれに限られず、基地局１１０Ａ側で低消費電力化動作モードをオン状態にするかオフ状態にするかを判定し、その後、基地局１１０ＡからＰＨＳ端末１２０Ａに対して、低消費電力化動作モードのオン又はオフの要求を行う構成であっても良い。また、低消費電力化動作モードのオン状態は、ＰＨＳ端末１２０Ａ及び基地局１１０Ａが相互に低消費電力化動作モードをオン状態にするように要求したときにのみ低消費電力化動作モードをオン状態にする構成であっても良い。
【００９５】
このようにして、ＰＨＳ端末１２０Ａ及び基地局１１０Ａは、データを送受信する際に、一定条件下に、有意でないアイドルデータを付加することなく有意データのみで１タイムスロットに対応するデータを送受信して処理するので、アイドルデータを処理しない分だけその処理負担及び電力消費を軽減することができる。
【００９６】
また、ＰＨＳ端末１２０Ａがデータサーバからデータのダウンロードを行う際には、ダウンロードが完了する際の１タイムスロットのＩフィールドが有意データで満たされないことがある。ＰＨＳ端末１２０Ａは、このようなデータのダウンロードが完了する際に、有意でないアイドルデータを付加することなく有意データのみで１タイムスロットに対応するデータを受信するようにするので、より効果を発揮する。
【００９７】
また、アイドルデータは、「０」データでなくても良い。例えば、予め基地局とＰＨＳ端末との間で決められていれば任意の値でも良い。
【符号の説明】
【００９８】
１０  通信部
１１  制御部
１００  無線通信システム
１１０Ａ、１１０Ｂ  基地局
１２０Ａ、１２０Ｂ  ＰＨＳ端末
【図１】
2012095156.tif 000003
【図２】
2012095156.tif 000004
【図３】
2012095156.tif 000005
【図４】
2012095156.tif 000006
【図５】
2012095156.tif 000007
【図６】
2012095156.tif 000008
【図７】
2012095156.tif 000009